(57)【要約】【課題】操作性の向上を図ることが可能なスイッチの光漏れ防止構造を提供する。【解決手段】表面シート２２と、導光部材としてのスペーサ２３と、メンブレンシート２４と、第二スペーサ２５と、発光素子２６を実装した回路体２７と、を外側から順に備えてスイッチとしてのポリドームスイッチ２１を構成する。そして、このように構成したポリドームスイッチ２１を、被取り付け部材２８の収容部２９に取り付ける。また、スイッチ操作部分３２側への不要な光の漏れを防止する見切り部カバー３１を、ポリドームスイッチ２１と被取り付け部材２８との間の隙間３０上に、その間隙３０を覆うような状態で取り付ける。【選択図】　　図１
2004022381.tif 000002
【特許請求の範囲】
【請求項１】
照光機能を有し且つ被取り付け部材に取り付けられるスイッチにおける導光部材の側方からの光漏れを防止するための構造であって、
前記導光部材よりも上方に設けられる表面シートと前記被取り付け部材との間の隙間を覆う見切り部カバーを設け、該見切り部カバーを前記間隙上に配置した
ことを特徴とするスイッチの光漏れ防止構造。
【請求項２】
照光機能を有し且つ被取り付け部材に取り付けられるスイッチにおける導光部材の側方からの光漏れを防止するための構造であって、
前記導光部材よりも上方に設けられる表面シートの縁部で前記被取り付け部材と前記導光部材との間の間隙を覆うように前記縁部を配置形成した
ことを特徴とするスイッチの光漏れ防止構造。
【請求項３】
照光機能を有し且つ被取り付け部材に取り付けられるスイッチにおける導光部材の側方からの光漏れを防止するための構造であって、
前記導光部材の前記側方を覆う遮光用リング部材を設けて該遮光用リング部材を前記側方に配置するとともに、前記導光部材よりも上方に設けられる表面シートの縁部で前記遮光用リング部材と前記導光部材との間の間隙を覆うように前記縁部を配置形成した
ことを特徴とするスイッチの光漏れ防止構造。
【請求項４】
照光機能を有し且つ被取り付け部材に取り付けられるスイッチにおける導光部材の側方からの光漏れを防止するための構造であって、
前記導光部材よりも上方に設けられる表面シートの縁部で前記導光部材の前記側方を覆うように枠状に前記縁部を配置形成した
ことを特徴とするスイッチの光漏れ防止構造。
【発明の詳細な説明】
【０００１　】
【発明の属する技術分野】
本発明は、スイッチにおける導光部材の側方からの光漏れを防止するためのスイッチの光漏れ防止構造に関する。
【０００２　】
【従来の技術】
例えば、薄型のスイッチとして使用されるメンブレンスイッチは、信頼性が高く省スペース化の実現に寄与することから、電気機器をはじめとする様々なものの操作部分に使用されている。このようなメンブレンスイッチの中には、例えば暗所における操作性の向上を図るための照光機能、すなわち、内部にＬＥＤ等の発光素子を備えたものが知られている。
【０００３　】
図１１において、照光機能を有する従来のメンブレンスイッチ１は、表面シート２とスペーサ３とメンブレンシート４と第二スペーサ５と発光素子６を実装した回路体７とを外側から順に備えて構成されている。そして、このように構成されたメンブレンスイッチ１は、被取り付け部材８に形成された凹状の収容部９に対して図示の如く取り付けられるようになっている。
【０００４　】
表面シート２は、光透過性を有している。また、表面シート２は、ドーム状に形成された突出部１０を有している。突出部１０は、例えばその全体が発光素子６からの光１１により照光される照光部１２としても機能するように形成されている。スペーサ３は、光透過性を有しており、発光素子６からの光１１を導光することができるように形成されている。スペーサ３には、反転した突出部１０が挿通される貫通孔１３と、発光素子６が差し込まれる収容部１４とが形成されている。
【０００５　】
メンブレンシート４の下面の所定位置には、可動側の上極接点１５が設けられている。また、メンブレンシート４には、スペーサ３の収容部１４に連続する貫通孔状の収容部が形成されている。第二スペーサ５には、反転した突出部１０により押圧されるメンブレンシート４が挿通される貫通孔１６と、スペーサ３の収容部１４の下方に位置する貫通孔状の収容部とが形成されている。回路体７の上面には、可動側の上極接点１５が接触する固定側の下極接点１７が設けられている。また、回路体７の上面には、スペーサ３の収容部１４に差し込まれて収容される発光素子６が実装されている。
【０００６　】
上記構成において、発光素子６が発光すると、その発光素子６からの光１１は、収容部１４の壁面からスペーサ３内に入射して導光される。そして、導光された発光素子６からの光１１は、貫通孔１３の壁面から出射して照光部１２を照光する。これにより、操作部分１８が明るく照らされる。
【０００７　】
【発明が解決しようとする課題】
ところで、上記照光機能を有する従来のメンブレンスイッチ（スイッチ）１にあっては、スペーサ３内に入射して導光された発光素子６からの光１１が、スペーサ３の側部を介してメンブレンスイッチ１と被取り付け部材８との間に生じる間隙状の見切り部１９から漏れてしまうという問題点を有している。発光素子６からの光１１が見切り部１９から漏れてしまうと、スイッチの操作性に影響を来してしまうことになる。
【０００８　】
本発明は、上述した事情に鑑みてなされるもので、操作性の向上を図ることが可能なスイッチの光漏れ防止構造を提供することを課題とする。
【０００９　】
【課題を解決するための手段】
上記課題を解決するためなされた請求項１記載の本発明のスイッチの光漏れ防止構造は、照光機能を有し且つ被取り付け部材に取り付けられるスイッチにおける導光部材の側方からの光漏れを防止するための構造であって、前記導光部材よりも上方に設けられる表面シートと前記被取り付け部材との間の隙間を覆う見切り部カバーを設け、該見切り部カバーを前記間隙上に配置したことを特徴としている。
【００１０　】
上記課題を解決するためなされた請求項２記載の本発明のスイッチの光漏れ防止構造は、照光機能を有し且つ被取り付け部材に取り付けられるスイッチにおける導光部材の側方からの光漏れを防止するための構造であって、前記導光部材よりも上方に設けられる表面シートの縁部で前記被取り付け部材と前記導光部材との間の間隙を覆うように前記縁部を配置形成したことを特徴としている。
【００１１　】
上記課題を解決するためなされた請求項３記載の本発明のスイッチの光漏れ防止構造は、照光機能を有し且つ被取り付け部材に取り付けられるスイッチにおける導光部材の側方からの光漏れを防止するための構造であって、前記導光部材の前記側方を覆う遮光用リング部材を設けて該遮光用リング部材を前記側方に配置するとともに、前記導光部材よりも上方に設けられる表面シートの縁部で前記遮光用リング部材と前記導光部材との間の間隙を覆うように前記縁部を配置形成したことを特徴としている。
【００１２　】
上記課題を解決するためなされた請求項４記載の本発明のスイッチの光漏れ防止構造は、照光機能を有し且つ被取り付け部材に取り付けられるスイッチにおける導光部材の側方からの光漏れを防止するための構造であって、前記導光部材よりも上方に設けられる表面シートの縁部で前記導光部材の前記側方を覆うように枠状に前記縁部を配置形成したことを特徴としている。
【００１３　】
請求項１に記載された本発明によれば、導光部材の側方から漏れる光は見切り部カバーにより遮られる。すなわち、見切り部カバーは表面シートと被取り付け部材との間の隙間を覆うことから、スイッチ操作側への不要な光の漏れが防止される。
【００１４　】
請求項２に記載された本発明によれば、導光部材の側方から漏れる光は表面シートの縁部により遮られる。すなわち、表面シートの縁部はスイッチと被取り付け部材との間の隙間を覆うことから、スイッチ操作側への不要な光の漏れが防止される。
【００１５　】
請求項３に記載された本発明によれば、導光部材の側方から漏れる光は、遮光用リング部材と表面シートの縁部とにより遮られる。すなわち、遮光用リング部材は導光部材の側方を覆い、また、表面シートの縁部は遮光用リング部材と導光部材との間の間隙を覆うことから、スイッチ操作側への不要な光の漏れが防止される。
【００１６　】
請求項４に記載された本発明によれば、導光部材の側方から漏れる光は表面シートの枠状の縁部により遮られる。すなわち、表面シートの枠状の縁部は導光部材の側方を覆うことから、スイッチ操作側への不要な光の漏れが防止される。
【００１７　】
【発明の実施の形態】
以下、図面を参照して本発明の実施の形態を説明する。
図１は本発明のスイッチの光漏れ防止構造の一実施の形態（第一の例）を示す断面図、図２は断面を含む斜視図、図３は分解断面図、図４は断面を含む分解斜視図である。
【００１８　】
図１ないし図４において、引用符号２１で示されるポリドームスイッチ（特許請求の範囲に記載したスイッチに相当）は、照光機能を有する薄型のスイッチであって、表面シート２２と、スペーサ２３（特許請求の範囲に記載した導光部材に相当）と、メンブレンシート２４と、第二スペーサ２５と、発光素子２６を実装した回路体２７と、を外側から順に備えて構成されている。そして、このように構成されたポリドームスイッチ２１は、被取り付け部材２８に形成された凹状の収容部２９に対して図示の如く取り付けられるようになっている。また、ポリドームスイッチ２１と被取り付け部材２８との間の隙間（見切り部）３０上には、その間隙３０を覆う見切り部カバー３１が取り付けられるようになっている。見切り部カバー３１は、スイッチ操作部分３２側への不要な光の漏れを防止するために設けられている。以下、上記構成部材について詳細に説明する。
【００１９　】
表面シート２２は、例えばポリエチレンテレフタレート（ＰＥＴ）又はポリエチレンナフタレート（ＰＥＮ）からなる合成樹脂製の光透過性を有するシート部材であって、熱プレスを施すことにより形成された一又は複数の突出部３３を有している。また、表面シート２２は、発光素子２６からの光３４により照光される照光部３５を有している。表面シート２２は、上記材質であることから元々透明であって、本形態においては、その内面に例えば「ＯＮ」、「ＯＦＦ」、「ＵＰ」、「ＤＯＷＮ」等の文字が印刷されている。また、照光部３５以外は背景色の印刷や光反射・拡散層等の形成がなされている。
【００２０　】
突出部３３は、表面シート２２の外面（上面）側に突出するとともに内面（下面）側に反転可能なドーム形状に形成されている。照光部３５は、本形態において、突出部３３の全体に形成されている。照光部３５の配置及び数は任意であるものとする。
【００２１　】
スペーサ２３は、例えばポリエチレンテレフタレート（ＰＥＴ）又はポリエチレンナフタレート（ＰＥＮ）からなる合成樹脂製の光透過性を有するシート部材であって、表面シート２２の変形防止と、突出部３３の反転の際の空気抜きと、突出部３３のストローク寸法確保と、発光素子２６からの光３４の導光と、を実現するために設けられている。スペーサ２３の上下面には、既知の接着層（不図示）がそれぞれ設けられており、表面シート２２とメンブレンシート２４とを各々上記上下面に固定することができるようになっている。
【００２２　】
スペーサ２３は、突出部３３の位置に対応して形成される貫通孔３６と、図示しない空気逃がし部と、発光素子２６の位置に対応して形成される収容部３７とを有している。貫通孔３６は、突出部３３の直径よりも大きな直径を有するように形成されている（突出部３３の直径と同じであってもよいものとする）。また、貫通孔３６には、反転させた突出部３３が挿通されるようになっている。収容部３７は、発光素子２６の大きさに合わせてスペーサ２３の上記上下面を貫通するように形成されている。また、収容部３７には、発光素子２６が収容されるようになっている。
【００２３　】
メンブレンシート２４は、例えばポリエチレンテレフタレート（ＰＥＴ）又はポリエチレンナフタレート（ＰＥＮ）からなる合成樹脂製の柔軟性を有する薄肉のシート部材であって、その下面の所定位置には、回路体２７に対する可動側の上極接点３８が設けられている。また、メンブレンシート２４には、発光素子２６が挿通される収容部３９が形成されている。その収容部３９は、スペーサ２３の収容部３７に対応する位置に形成されている。
【００２４　】
第二スペーサ２５は、例えばポリエチレンテレフタレート（ＰＥＴ）又はポリエチレンナフタレート（ＰＥＮ）からなる合成樹脂製のシート部材であって、メンブレンシート２４の変形防止及びメンブレンシート２４のストローク寸法確保を実現するために設けられている。第二スペーサ２５の上下面には、既知の接着層（不図示）がそれぞれ設けられており、メンブレンシート２４と回路体２７とを各々上記上下面に固定することができるようになっている。このような第二スペーサ２５は、上極接点３８の位置に対応して形成される貫通孔４０と、発光素子２６が挿通される収容部４１とを有している。
【００２５　】
回路体２７は、本形態においてＦＰＣ（フレキシブル・プリント・サーキット）を用いて構成されている（既知のプリント基板（ＰＣＢ）を用いてもよいものとする）。また、回路体２７は、所望のパターンに配索された図示しないスイッチ回路を有する回路体本体４２と、外部との電気的な接続に用いられる図示しない外部接続手段とを備えて構成されている。
【００２６　】
回路体本体４２の上面、すなわち第二スペーサ２５側には、上記上極接点３８が接触する固定側の下極接点４３と、スイッチ操作部分３２に対しての照光機能を構成する一又は複数の発光素子２６（例えば既知のＬＥＤ）とが設けられている。また、回路体本体４２の下面には、既知の接着層（不図示）が設けられている。その接着層（不図示）は、ポリドームスイッチ２１を被取り付け部材２８に固定するために設けられている。図示しない外部接続手段は、回路体本体４２から引き出される結線回路部と、その結線回路部の先端部分に設けられる例えばエッジコネクタ端子やコネクタ等とを備えて構成されている。
【００２７　】
被取り付け部材２８の収容部２９の開口縁部には、平坦な面を有するフランジ（若しくは壁）４４が周設されている。収容部２９の深さは、ポリドームスイッチ２１の厚みに応じて設定されている。すなわち、本形態においては、表面シート２２と上記平坦な面とが面一になるようにその深さが設定されている。尚、被取り付け部材２８の材質は特に限定されないものとする。
【００２８　】
見切り部カバー３１は、表面シート２２と上記平坦な面とに跨って配置されるように形成されている。また、見切り部カバー３１は、間隙３０を覆うことができるように形成されている。すなわち、本形態においては、図示の如く、薄肉の縁状部材のような形状に形成されている。このような見切り部カバー３１の下面には、既知の接着層（不図示）が設けられている。尚、見切り部カバー３１の材質は特に限定されないものとする。
【００２９　】
上記構成において、ポリドームスイッチ２１は次のように組み立てられる。先ず、表面シート２２をスペーサ２３の上面に接着固定する。次いで、メンブレンシート２４を第二スペーサ２５の上面に接着固定するとともに、回路体２７を第二スペーサ２５の下面に接着固定する。続いて、スペーサ２３の下面にメンブレンシート２４、第二スペーサ２５、及び回路体２７で構成されるスイッチ部分を接着固定すると組み立てが完了する。そして、このように組み立てられた後に回路体２７側から被取り付け部材２８の収容部２９に接着固定され、且つ見切り部カバー３１が所定の位置に固定されたポリドームスイッチ２１は、次のように作用する（作用図面は省略する）。
【００３０　】
スイッチ操作前となる突出部３３に荷重が掛かっていない状態では、突出部３３自体の保形性によって、その形状が保持された状態にある。そして、スイッチ操作がなされ、突出部３３がスイッチ操作をする者の指により押圧されると（下方向に荷重を掛ける押圧操作）、突出部３３が指の押圧による荷重に抗しながら、ある荷重を境にして座屈し反転する（この時、クリック感が生じる）。突出部３３が座屈、反転すると下方向の荷重が減少し、突出部３３の押圧がスムーズに進行する。反転した突出部３３は更に押し込まれてスペーサ２３の貫通孔３６に挿通され、メンブレンシート２４を押圧する。メンブレンシート２４が押圧されると撓みが生じ、そのメンブレンシート２４に設けられた上極接点３８が第二スペーサ２５の貫通孔４０を介して回路体２７の下極接点４３に接触する。
【００３１　】
これにより、回路体２７の図示しないスイッチ回路が導通状態となり、ポリドームスイッチ２１はＯＮされる。一方、指が離され下方向の荷重が解除されると、メンブレンシート２４及び突出部３３はもとの状態に復帰する。そして、これに伴って導通状態が解除され、ポリドームスイッチ２１はＯＦＦされる。
【００３２　】
スイッチ操作部分３２に対しての照光機能は、次のように作用する。例えば暗所などにおいて、ライトの点灯に伴い回路体２７に実装された発光素子２６が発光する。そして、その発光素子２６が発光すると、発光素子２６からの光３４は、収容部３７の壁面を介してスペーサ２３内に入射し導光される。その後、導光された光３４は貫通孔３６の壁面から出射され、そして、出射された光３４は、照光部３５を照光してスイッチ操作部分３２を明るく照らす。尚、この時、スペーサ２３の側方からスイッチ操作部分３２側へ漏れようとする光４５は、見切り部カバー３１によって遮られる。
【００３３　】
以上、図１ないし図４までを参照しながら説明してきたように、見切り部カバー３１を設けることにより、スイッチ操作部分３２側への不要な光４５の漏れを防止することができる。従って、上述の光漏れ防止構造により、スイッチに係る操作性の向上を図ることができる。
【００３４　】
次に、図５及び図６を参照しながら本発明によるスイッチの光漏れ防止構造の他の一実施の形態（第二の例）を説明する。図５は他の一実施の形態（第二の例）を示す断面図、図６は分解断面図である。尚、上述の形態と基本的に同一の構成部材には同一の符号を付して詳細な説明を省略するものとする。
【００３５　】
図５及び図６において、引用符号５１で示されるポリドームスイッチ（特許請求の範囲に記載したスイッチに相当）は、照光機能を有する薄型のスイッチであって、表面シート５２と、スペーサ２３と、メンブレンシート２４と、第二スペーサ２５と、発光素子２６を実装した回路体２７と、を外側から順に備えて構成されている。そして、このように構成されたポリドームスイッチ５１は、被取り付け部材５３に形成された凹状の収容部２９に対して図示の如く取り付けられるようになっている。
【００３６　】
表面シート５２は、例えばポリエチレンテレフタレート（ＰＥＴ）又はポリエチレンナフタレート（ＰＥＮ）からなる合成樹脂製の光透過性を有するシート部材であって、熱プレスを施すことにより形成された一又は複数の突出部３３を有している。また、表面シート５２は、発光素子２６からの光３４により照光される照光部３５を有している。表面シート５２は、上記材質であることから元々透明であって、本形態においては、その内面に例えば「ＯＮ」、「ＯＦＦ」、「ＵＰ」、「ＤＯＷＮ」等の文字が印刷されている。また、照光部３５以外は背景色の印刷や光反射・拡散層等の形成がなされている。
【００３７　】
このような表面シート５２の外形寸法は、スペーサ２３の外形寸法よりも一回り大きくなるように設定されている。すなわち、表面シート５２の縁部５４は、スペーサ２３の縁部よりも水平方向に大きく、且つポリドームスイッチ５１（スペーサ２３）と被取り付け部材５３との間の隙間５５を覆うことができるように形成されている。表面シート５２の縁部５４は、スイッチ操作部分３２側への不要な光の漏れを防止するために設けられている。
【００３８　】
被取り付け部材５３は、側壁５６を有しており、その側壁５６によって収容部２９が区画形成されている。収容部２９の深さは、スペーサ２３から回路体２７までの厚みに応じて設定されている。すなわち、本形態においては、スペーサ２３の上面と側壁５６の先端面とが面一になるようにその深さが設定されている。また、上記先端面上に表面シート５２の縁部５４が載せられて固定されるようにその深さが設定されている。尚、被取り付け部材５３の材質は特に限定されないものとする。
【００３９　】
上記構成において、ポリドームスイッチ５１は次のように組み立てられる。先ず、表面シート５２をスペーサ２３の上面に接着固定する。次いで、メンブレンシート２４を第二スペーサ２５の上面に接着固定するとともに、回路体２７を第二スペーサ２５の下面に接着固定する。続いて、スペーサ２３の下面にメンブレンシート２４、第二スペーサ２５、及び回路体２７で構成されるスイッチ部分を接着固定すると組み立てが完了する。そして、このように組み立てられたポリドームスイッチ５１は、回路体２７側から被取り付け部材５３の収容部２９に接着固定される。尚、この時、表面シート５２の縁部５４が隙間５５を覆うように接着固定される。
【００４０　】
ポリドームスイッチ５１のスイッチ操作部分３２に対しての照光機能は、次のように作用する。例えば暗所などにおいて、ライトの点灯に伴い回路体２７に実装された発光素子２６が発光する。そして、その発光素子２６が発光すると、発光素子２６からの光３４は、収容部３７の壁面を介してスペーサ２３内に入射し導光される。その後、導光された光３４は貫通孔３６の壁面から出射され、そして、出射された光３４は、照光部３５を照光してスイッチ操作部分３２を明るく照らす。尚、この時、スペーサ２３の側方からスイッチ操作部分３２側へ漏れようとする光４５は、表面シート５２の縁部５４によって遮られる。
【００４１　】
以上、図５及び図６を参照しながら説明してきたように、表面シート５２の縁部５４を設けることにより、スイッチ操作部分３２側への不要な光４５の漏れを防止することができる。従って、上述の光漏れ防止構造により、スイッチに係る操作性の向上を図ることができる。
【００４２　】
続いて、図７及び図８を参照しながら本発明によるスイッチの光漏れ防止構造の他の一実施の形態（第三の例）を説明する。図７は他の一実施の形態（第三の例）を示す断面図、図８は断面を含む分解斜視図である。尚、上述の形態と基本的に同一の構成部材には同一の符号を付して詳細な説明を省略するものとする。
【００４３　】
図７及び図８において、ポリドームスイッチ５１は、被取り付け部材６１の平坦な取り付け面６２に対して、遮光用リング部材６３と共に図示の如く取り付けられるようになっている。
【００４４　】
表面シート５２の縁部５４は、ポリドームスイッチ５１（スペーサ２３）と遮光用リング部材６３との間の隙間６４を覆うことができるように形成されている。遮光用リング部材６３は、スペーサ２３の側方全体を覆う略環状の部材として形成されている。また、遮光用リング部材６３は、スペーサ２３から回路体２７までの厚みに応じた高さを有するように形成されている（上述の側壁５６が分離したような部材になる。遮光用リング部材６３の上面はスペーサ２３の上面と面一になる。遮光用リング部材６３の上面に表面シート５２の縁部５４が載せられて固定される）。尚、遮光用リング部材６３及び被取り付け部材６１の材質は特に限定されないものとする。
【００４５　】
上記構成において、ポリドームスイッチ５１は、遮光用リング部材６３と共に、回路体２７側から被取り付け部材６１の平坦な取り付け面６２に接着固定される。尚、この時、遮光用リング部材６３がスペーサ２３の側方全体を覆うように接着固定される。また、表面シート５２の縁部５４が隙間６４を覆うように接着固定される。
【００４６　】
ポリドームスイッチ５１のスイッチ操作部分３２に対しての照光機能は、次のように作用する。例えば暗所などにおいて、ライトの点灯に伴い回路体２７に実装された発光素子２６が発光する。そして、その発光素子２６が発光すると、発光素子２６からの光３４は、収容部３７の壁面を介してスペーサ２３内に入射し導光される。その後、導光された光３４は貫通孔３６の壁面から出射され、そして、出射された光３４は、照光部３５を照光してスイッチ操作部分３２を明るく照らす。尚、この時、スペーサ２３の側方からスイッチ操作部分３２側へ漏れようとする光４５は、遮光用リング部材６３と表面シート５２の縁部５４とによって遮られる。
【００４７　】
以上、図７及び図８を参照しながら説明してきたように、遮光用リング部材６３と表面シート５２の縁部５４とを設けることにより、スイッチ操作部分３２側への不要な光４５の漏れを防止することができる。従って、上述の光漏れ防止構造により、スイッチに係る操作性の向上を図ることができる。
【００４８　】
続いてさらに、図９及び図１０を参照しながら本発明によるスイッチの光漏れ防止構造の他の一実施の形態（第四の例）を説明する。図９は他の一実施の形態（第四の例）を示す断面図、図１０は断面を含む分解斜視図である。尚、上述の形態と基本的に同一の構成部材には同一の符号を付して詳細な説明を省略するものとする。
【００４９　】
図９及び図１０において、引用符号７１で示されるポリドームスイッチ（特許請求の範囲に記載したスイッチに相当）は、照光機能を有する薄型のスイッチであって、表面シート７２と、スペーサ２３と、メンブレンシート２４と、第二スペーサ２５と、発光素子２６を実装した回路体２７と、を外側から順に備えて構成されている。そして、このように構成されたポリドームスイッチ７１は、被取り付け部材７３の平坦な取り付け面７４に対して図示の如く取り付けられるようになっている。
【００５０　】
表面シート７２は、例えばポリエチレンテレフタレート（ＰＥＴ）又はポリエチレンナフタレート（ＰＥＮ）からなる合成樹脂製の光透過性を有するシート部材であって、熱プレスを施すことにより形成された一又は複数の突出部３３を有している。また、表面シート７２は、発光素子２６からの光３４により照光される照光部３５を有している。表面シート７２は、上記材質であることから元々透明であって、本形態においては、その内面に例えば「ＯＮ」、「ＯＦＦ」、「ＵＰ」、「ＤＯＷＮ」等の文字が印刷されている。また、照光部３５以外は背景色の印刷や光反射・拡散層等の形成がなされている。このような表面シート７２は、その縁部７５が少なくともスペーサ２３の側方全体を覆うことができるように枠状に形成されている。表面シート７２の縁部７５は、スイッチ操作部分３２側への不要な光の漏れを防止するために設けられている。
【００５１　】
被取り付け部材７３は、本形態において、回路体２７と同じ大きさに形成されている。尚、被取り付け部材７３の材質は特に限定しないものとする。
【００５２　】
上記構成において、ポリドームスイッチ７１は次のように組み立てられる。先ず、表面シート７２をスペーサ２３の上面に接着固定する。次いで、メンブレンシート２４を第二スペーサ２５の上面に接着固定するとともに、回路体２７を第二スペーサ２５の下面に接着固定する。続いて、スペーサ２３の下面にメンブレンシート２４、第二スペーサ２５、及び回路体２７で構成されるスイッチ部分を接着固定すると組み立てが完了する。尚、この時、表面シート７２の縁部７５がスペーサ２３の側方全体を覆うように配置される。そして、このように組み立てられたポリドームスイッチ７１は、回路体２７側から被取り付け部材７３の平坦な取り付け面７４に接着固定される。
【００５３　】
ポリドームスイッチ７１のスイッチ操作部分３２に対しての照光機能は、次のように作用する。例えば暗所などにおいて、ライトの点灯に伴い回路体２７に実装された発光素子２６が発光する。そして、その発光素子２６が発光すると、発光素子２６からの光３４は、収容部３７の壁面を介してスペーサ２３内に入射し導光される。その後、導光された光３４は貫通孔３６の壁面から出射され、そして、出射された光３４は、照光部３５を照光してスイッチ操作部分３２を明るく照らす。尚、この時、スペーサ２３の側方からスイッチ操作部分３２側へ漏れようとする光４５は、表面シート７２の縁部７５によって遮られる。
【００５４　】
以上、図９及び図１０を参照しながら説明してきたように、枠状となる表面シート７２の縁部７５を設けることにより、スイッチ操作部分３２側への不要な光４５の漏れを防止することができる。従って、上述の光漏れ防止構造により、スイッチに係る操作性の向上を図ることができる。
【００５５　】
その他、本発明は本発明の主旨を変えない範囲で種々変更実施可能なことは勿論である。尚、上述では表面シートに反転可能なドーム状の突出部を形成したドームスイッチを本発明に係るスイッチとしているが、突出部のない形態のメンブレンスイッチや、クリックシートスイッチ、シートスイッチ、フィルムスイッチ、ラバー（シート）スイッチでもよいものとする。
【００５６　】
【発明の効果】
以上説明したように、請求項１に記載された本発明によれば、見切り部カバーを設けて遮ることにより、スイッチ操作側への不要な光の漏れを防止することができる。従って、スイッチに係る操作性の向上を図ることができるという効果を奏する。
【００５７　】
請求項２に記載された本発明によれば、表面シートの縁部で遮ることにより、スイッチ操作側への不要な光の漏れを防止することができる。従って、スイッチに係る操作性の向上を図ることができるという効果を奏する。
【００５８　】
請求項３に記載された本発明によれば、遮光用リング部材と表面シートの縁部とでそれぞれ遮ることにより、スイッチ操作側への不要な光の漏れを防止することができる。従って、スイッチに係る操作性の向上を図ることができるという効果を奏する。
【００５９　】
請求項４に記載された本発明によれば、表面シートの枠状の縁部で遮ることにより、スイッチ操作側への不要な光の漏れを防止することができる。従って、スイッチに係る操作性の向上を図ることができるという効果を奏する。
【図面の簡単な説明】
【図１】本発明によるスイッチの光漏れ防止構造の一実施の形態（第一の例）を示す断面図である。
【図２】図１のスイッチの光漏れ防止構造の断面を含む斜視図である。
【図３】図１のスイッチの光漏れ防止構造の分解断面図である。
【図４】図１のスイッチの光漏れ防止構造の断面を含む分解斜視図である。
【図５】本発明によるスイッチの光漏れ防止構造の他の一実施の形態（第二の例）を示す断面図である。
【図６】図５のスイッチの光漏れ防止構造の分解断面図である。
【図７】本発明によるスイッチの光漏れ防止構造の他の一実施の形態（第三の例）を示す断面図である。
【図８】図７のスイッチの光漏れ防止構造の断面を含む分解斜視図である。
【図９】本発明によるスイッチの光漏れ防止構造の他の一実施の形態（第四の例）を示す断面図である。
【図１０】図９のスイッチの断面を含む分解斜視図である。
【図１１】従来例のスイッチの断面図である。
【符号の説明】
２１　ポリドームスイッチ（スイッチ）
２２　表面シート
２３　スペーサ（導光部材）
２４　メンブレンシート
２５　第二スペーサ
２６　発光素子
２７　回路体
２８　被取り付け部材
２９　収容部
３０　間隙
３１　見切り部カバー
３２　スイッチ操作部分
３３　突出部
３４　光
３５　照光部
３６　貫通孔
３７　収容部
３８　上極接点
３９　収容部
４０　貫通孔
４１　収容部
４２　回路体本体
４３　下極接点
４４　フランジ
４５　光
５１　ポリドームスイッチ（スイッチ）
５２　表面シート
５３　被取り付け部材
５４　縁部
５５　間隙
５６　側壁
６１　被取り付け部材
６２　取り付け面
６３　遮光用リング部材
６４　間隙
７１　ポリドームスイッチ（スイッチ）
７２　表面シート
７３　被取り付け部材
７４　取り付け面
７５　縁部
【図１】
2004022381.tif 000003
【図２】
2004022381.tif 000004
【図３】
2004022381.tif 000005
【図４】
2004022381.tif 000006
【図５】
2004022381.tif 000007
【図６】
2004022381.tif 000008
【図７】
2004022381.tif 000009
【図８】
2004022381.tif 000010
【図９】
2004022381.tif 000011
【図１０】
2004022381.tif 000012
【図１１】
2004022381.tif 000013